(57)【要約】【課題】遠隔地の無線通信装置に障害が発生した場合、外部から無線による外部リセット信号を無線通信装置に送信するが、外部リセット信号を受信する無線部や制御部に障害が発生している場合には、リセットが実行できないという課題を解決する。【解決手段】無線通信装置を、外部から無線により受信した外部リセット信号に基づき、制御部リセット信号を作成して制御部へ出力し、電源部リセット信号を作成して電源部へ出力する無線部と、無線部からの制御部リセット信号に基づきリセット状態にされる制御部と、無線部と前記制御部へ電源を供給するとともに、前記無線部からの電源部リセット信号に基づきリセット状態にされる電源部とから構成し、無線部は、外部リセット信号を受信すると、制御部リセット信号を制御部へ出力し、該制御部リセット信号に対して制御部がリセットされない場合に、電源リセット信号を電源部へ出力するように構成する。【選択図】図１
2011160331.tif 000002
【特許請求の範囲】
【請求項１】
外部から無線により外部リセット信号を受信し、該外部リセット信号に基づき、制御部をリセットする制御部リセット信号を作成して制御部へ出力し、電源部をリセットする電源部リセット信号を作成して電源部へ出力する無線部と、
前記無線部からの制御部リセット信号に基づきリセット状態にされる制御部と、
前記無線部と前記制御部へ電源を供給するとともに、前記無線部からの電源部リセット信号に基づきリセット状態にされる電源部とを備え、
前記無線部は、前記外部リセット信号を受信すると、前記制御部リセット信号を制御部へ出力し、該制御部リセット信号により制御部がリセットされない場合に、電源リセット信号を電源部へ出力することを特徴とする無線通信装置。
【発明の詳細な説明】
【技術分野】
【０００１】
本発明は、無線通信装置に関し、特に、遠隔地に設置する無線基地局等の無線通信装置において、無線通信装置の内部ユニットに不具合が発生した場合、遠隔制御により装置リセットを行うことによる機能復旧の改善を図る無線通信装置に関するものである。
【背景技術】
【０００２】
従来の無線通信装置である無線基地局の構成図を、図４に示す。図４において、無線基地局は、無線部５０、制御部６０、電源部７０を備えており、無線により外部の統制局と通信するものである。図４において、５０は、外部の統制局との間で無線信号の送受を行う無線部である。５１は、無線部５０の内蔵する無線部ＣＰＵ（Central Processing Unit）である。５２は、無線部５０のメモリで、無線部ＣＰＵ５１のプログラム等を内蔵し、このプログラムに従って無線部５０は動作する。５３は、外部の統制局から無線送信されてくる外部リセット信号５９を受信する外部リセット信号受信部である。５４は、外部リセット信号受信部５３からの信号に基づいて、制御部６０をリセットする制御部リセット信号５７を作成する制御部リセット信号作成部である。
【０００３】
６０は、図示しない操作表示部や無線部５０の動作を制御する制御部であり、無線部５０からの制御部リセット信号５７によりリセットされるようになっている。６１は、制御部６０の内蔵する制御部ＣＰＵである。６２は、制御部６０のメモリで、制御部ＣＰＵ６１のプログラム等を内蔵し、このプログラムに従って制御部６０は動作する。６３は、制御部ＣＰＵ６１が正常動作しているかどうか監視するウォッチドッグタイマである。制御部ＣＰＵ６１は、正常状態ではクリア信号６６を定期的にウォッチドッグタイマ６３へ出力し、タイムアップ信号６７が出力されないようにしている。制御部ＣＰＵ６１が異常状態になると、クリア信号６６が出力されないので、ウォッチドッグタイマ６３は、制御部ＣＰＵ６１に対してタイムアップ信号６７を出力し、制御部ＣＰＵ６１をリセットする。６４は、無線部５０からの制御部リセット信号５７に基づき、無線部リセット信号６５を作成する無線部リセット信号作成部である。
７０は、無線部５０へ電源供給線７１により電源を供給し、制御部６０へ電源供給線７２により電源を供給する電源部である。
【０００４】
次に、従来例の無線通信装置である無線基地局の動作を説明する。無線基地局の無線部５０が、無線による外部リセット信号５９を受信すると、制御部リセット信号作成部５４で制御部リセット信号５７を作成し、制御部６０へ制御部リセット信号５７を出力する。制御部６０は、制御部リセット信号５７によりリセットされる。次に、制御部６０の制御部ＣＰＵ６１は、制御部リセット信号５７に基づき、無線部リセット信号作成部６４で無線部リセット信号６５を作成し、無線部５０へ無線部リセット信号６５を出力し、無線部５０のリセットが実行される。
しかし、無線部５０に実装された無線部ＣＰＵ５１に障害が発生し、外部リセット信号５９を認識できない場合は、制御部６０へ制御部リセット信号５７を出力することができない。
また、無線部５０が外部リセット信号５９に基づいて、制御部６０へ制御部リセット信号５７を出力しても、制御部リセット信号５７によっては制御部ＣＰＵ６１がリセットされない場合がある。この場合に、ウォッチドッグタイマ６３にも障害が発生していると、制御部ＣＰＵ６１はリセットされず、無線部５０へ無線部リセット信号６５を出力することができない。
【０００５】
下記の特許文献１には、メイン制御装置とサブ制御装置から構成される制御装置におけるメインＣＰＵとサブＣＰＵの動作を監視するため、メイン制御装置にサブＣＰＵの誤動作を検出する機能と、電源電圧の異常発生を検出する電源異常検出機能を持たせ、サブＣＰＵの誤動作又は電源異常が検出された場合に、メインＣＰＵが、メインＣＰＵ及びサブＣＰＵに対してリセット信号を発生することが記載されている。
【先行技術文献】
【特許文献】
【０００６】
【特許文献１】特開２００５-１４８８９０公報
【発明の概要】
【発明が解決しようとする課題】
【０００７】
上述したように、遠隔地に設置した無線通信装置に障害が発生した場合、装置リセットによる機能復旧を行うために、外部から無線信号による外部リセット信号を、遠隔地の無線通信装置に向けて送信する。しかし、無線による外部リセット信号を受信するべき無線部に障害が発生している場合、または受信した外部リセット信号により無線部をリセットするよう制御する制御部に障害が発生している場合には、リセットを実行することができず、遠隔地に赴き手動によるリセットを実行しなければならないという課題があった。
【課題を解決するための手段】
【０００８】
本発明は、このような従来の課題を解決するために為されたもので、外部リセット信号により無線通信装置の電源部をリセットする機能を設け、外部リセット信号により無線通信装置の電源部をリセットすることにより、無線通信装置のリセットを確実に行うものである。
上記課題を解決するための本願発明の代表的な構成は、次のとおりである。すなわち、
外部から無線により外部リセット信号を受信し、該外部リセット信号に基づき、制御部をリセットする制御部リセット信号を作成して制御部へ出力し、電源部をリセットする電源部リセット信号を作成して電源部へ出力する無線部と、
前記無線部からの制御部リセット信号に基づきリセット状態にされる制御部と、
前記無線部と前記制御部へ電源を供給するとともに、前記無線部からの電源部リセット信号に基づきリセット状態にされる電源部とを備え、
前記無線部は、前記外部リセット信号を受信すると、前記制御部リセット信号を制御部へ出力し、該制御部リセット信号により制御部がリセットされない場合に、電源リセット信号を電源部へ出力することを特徴とする無線通信装置。
【発明の効果】
【０００９】
上記の構成によれば、無線通信装置が遠隔地にある場合であっても、無線通信装置の外部から無線により外部リセット信号を送信することにより、無線通信装置をリセット状態にすることができる。また、制御部リセット信号を制御部へ出力しても制御部がリセットされない場合に、電源リセット信号を電源部へ出力して電源部をリセット状態にするようにしているので、確実に、無線通信装置をリセットして正常状態に復旧することができる。
【図面の簡単な説明】
【００１０】
【図１】本発明の実施例に係る無線通信装置の構成例を示す図である。
【図２】本発明の第１実施例に係るリセット処理の１例を示す図である。
【図３】本発明の第２実施例に係るリセット処理の１例を示す図である。
【図４】従来の無線通信装置の構成例を示す図である。
【発明を実施するための形態】
【００１１】
本発明の実施形態の一例である無線通信装置１００について、図１を参照しながら説明する。図１は、本発明の実施例に係る無線通信装置、例えば、無線基地局の構成例を示す図である。図１において、無線基地局は、無線部１０、制御部２０、電源部３０を備えており、無線により、例えば外部の統制局と通信するものである。図１において、１０は、例えば外部の統制局との間で無線信号の送受を行う無線部である。１１は、無線部１０の内蔵する無線部ＣＰＵである。１２は、無線部１０のメモリで、無線部ＣＰＵ１１のプログラム等を内蔵し、このプログラムに従って無線部１０は動作する。１３は、外部の統制局から無線送信されてくる外部リセット信号１９を受信する外部リセット信号受信部である。１４は、外部リセット信号受信部１３からの信号に基づいて、制御部２０をリセットする制御部リセット信号１７を作成する制御部リセット信号作成部である。１５は、外部リセット信号受信部１３からの信号に基づいて、電源部３０をリセットする電源部リセット信号１６を作成する電源部リセット信号作成部である。
【００１２】
２０は、図示しない操作表示部や無線部１０等の無線通信装置１００の各構成部の動作を制御する制御部であり、無線部１０からの制御部リセット信号１７により、後述の制御部ＣＰＵ２１がリセットされるようになっている。２１は、制御部２０の内蔵する制御部ＣＰＵである。２２は、制御部２０のメモリで、制御部ＣＰＵ２１のプログラム等を内蔵し、このプログラムに従って制御部２０は動作する。２３は、制御部ＣＰＵ２１が正常動作しているかどうか監視するウォッチドッグタイマである。制御部ＣＰＵ２１は、正常状態ではクリア信号２６を定期的にウォッチドッグタイマ２３へ出力し、タイムアップ信号２７が出力されないようにしている。制御部ＣＰＵ２１が異常状態になると、クリア信号２６が出力されないので、ウォッチドッグタイマ２３は、制御部ＣＰＵ２１に対してタイムアップ信号２７を出力し、制御部ＣＰＵ２１をリセットする。ここで制御部ＣＰＵ２１のリセットとは、例えば、所定の初期プログラムルーチンへ実行が移ること（例えば、電源投入時の初期プログラムルーチンへ実行が移ること）を意味する。２４は、無線部２０からの制御部リセット信号１７に基づき、無線部リセット信号２５を作成する無線部リセット信号作成部である。無線部リセット信号２５により、無線部ＣＰＵ１１はリセットされる。ここで無線部ＣＰＵ１１のリセットとは、例えば、所定の初期プログラムルーチンへ実行が移ること（例えば、電源投入時の初期プログラムルーチンへ実行が移ること）を意味する。
【００１３】
３０は、無線部１０へ電源供給線３１により電源を供給し、制御部２０へ電源供給線３２により電源を供給する電源部である。電源部３０は、無線部１０からの電源部リセット信号１６によりリセットされる。電源部３０のリセットとは、例えば、無線部１０や制御部２０への電源供給が一旦断たれること（例えば、通常は１２ボルトの電源出力が例えば５秒間ほど０ボルトになり、その後１２ボルトに復旧すること）を意味する。電源部３０のリセットは、トランジスタ等のスイッチにより、無線部１０と制御部２０への電源供給回路を遮断することにより実現される。
【００１４】
［第１実施例］
次に、本発明の第１実施例として、無線通信装置である無線基地局の動作を、図２を用いて説明する。図２は、本発明の第１実施例に係るリセット処理の１例を示す図であり、無線部１０が異常状態である場合の処理例である。始めに、無線部１０が正常状態である場合の処理を説明する。無線基地局は、無線基地局が正常状態であるか否か等の状態を、一定周期で、定期的に、統制局へ報告するものである。図２において、まず、無線基地局の制御部２０が、無線基地局が正常状態であるか否か等の状態を統制局へ報告するための、状態報告信号Ｓ１を無線部１０に送信する。無線部１０は、状態報告信号Ｓ１に基づき、状態報告信号Ｓ２を統制局へ無線送信する。状態報告信号Ｓ２を受信した統制局は、応答信号Ｓ３を無線部１０へ無線送信する。無線部１０は、応答信号Ｓ３に基づき、応答信号Ｓ４を制御部２０へ送信する。制御部２０は、状態報告信号Ｓ１に対する応答信号Ｓ４を受信することにより、無線部１０が正常に動作している正常状態であることを確認することができる。なお、無線基地局からの状態報告信号の送信は、統制局からの状態要求信号に応じて行われてもよい。
【００１５】
次に、無線部１０が異常状態である場合の処理を説明する。まず、制御部２０が、状態報告信号Ｓ５を無線部１０に送信する。無線部１０は、異常状態であるので、状態報告信号Ｓ５に基づき、状態報告信号Ｓ６を統制局へ無線送信することができない。したがって、制御部２０は、状態報告信号Ｓ５に対する無線部１０からの応答信号Ｓ８を受信することができない。そこで、制御部２０は、無線部１０が異常状態である可能性があると判断し、リセット信号Ｓ９（図１の無線部リセット信号２５）を無線部１０へ出力し、無線部１０をリセット、すなわち無線部ＣＰＵ１１をリセットする。
このように、第１実施例によれば、無線部１０が異常状態になっても、制御部２０からの無線部リセット信号２５により、無線部１０は正常状態に復旧することができる。
【００１６】
［第２実施例］
次に、本発明の第２実施例として、無線通信装置である無線基地局の動作を、図３を用いて説明する。図３は、本発明の第２実施例に係るリセット処理の１例を示す図であり、制御部２０が異常状態である、つまり制御部２０に障害が発生している場合の処理例である。図３において、制御部２０が異常状態であるので、制御部２０から、状態報告信号Ｓ３１が無線部１０に送信されない。状態報告信号Ｓ３１は、制御部２０が、無線基地局が正常状態であるか否か等の状態を統制局へ報告するための状態報告信号である。したがって、無線部１０からの状態報告信号Ｓ３２も、統制局へ無線送信されない。統制局は、状態報告信号Ｓ３２が受信できないので、無線基地局が異常状態であると判断し、リセット信号Ｓ３３（図１の外部リセット信号１９）を無線部１０へ無線送信する。無線部１０は、リセット信号Ｓ３３に基づき、リセット信号Ｓ３４（図１の制御部リセット信号１７）を制御部２０へ送信する。リセット信号Ｓ３４に基づき、制御部ＣＰＵ２１がリセットされる。制御部ＣＰＵ２１がリセットされて、制御部２０が正常状態になると、制御部２０は、状態報告信号Ｓ３５を無線部１０に送信する。無線部１０は、状態報告信号Ｓ３５を受信することにより、制御部２０が正常状態になったことを確認する。
【００１７】
しかし、無線部１０からのリセット信号Ｓ３４によっては制御部ＣＰＵ２１がリセットされない場合がある。この場合は、無線部１０はリセット信号Ｓ３４を出力したにもかかわらず所定時間経過しても状態報告信号Ｓ３５を受信できないので、無線部１０は、リセット信号Ｓ３６（図１の電源部リセット信号１６）を、電源部３０に対して出力する。リセット信号Ｓ３６を受信した電源部３０は、電源供給線３２による制御部２０への電源供給を一旦停止し（Ｓ３７）、電源供給線３１による無線部１０への電源供給を一旦停止する（Ｓ３８）。その後、電源部３０は、再び、制御部２０と無線部１０への電源供給を開始する。電源供給を開始された制御部２０の制御部ＣＰＵ２１と無線部１０の無線部ＣＰＵ１１は、所定の初期プログラムルーチンから動作を開始することにより、正常に動作する。
【００１８】
このように、第２実施例によれば、無線部１０から制御部２０へ出力される制御部リセット信号１７により、制御部ＣＰＵ２１がリセットされなかった場合には、無線部１０から電源部３０へ電源部リセット信号１６を出力して、無線部１０と制御部２０への電源供給を一旦停止するようにしているので、確実に、無線通信装置１００をリセットして正常状態に復旧することができる。
また、制御部リセット信号１７を制御部２０へ出力しても制御部２０がリセットされない場合に、電源リセット信号１６を電源部３０へ出力して電源部３０をリセット状態にするようにしているので、制御部リセット信号１７により制御部２０がリセットできる場合は、電源部３０をリセット状態にすることなく、より早く正常状態に復旧することができる。
【００１９】
なお、本発明は、上記の第１実施例と第２実施例を適宜組み合わせて構成することができる。また、本発明に係る処理を実行する装置としてだけでなく、システム、方法として、或いは、このような方法やシステムを実現するためのプログラムや当該プログラムを記録する記録媒体などとして把握することができる。
【００２０】
本明細書には、次の発明が含まれる。第１の発明は、
外部から無線により外部リセット信号を受信し、該外部リセット信号に基づき、制御部をリセットする制御部リセット信号を作成して制御部へ出力し、電源部をリセットする電源部リセット信号を作成して電源部へ出力する無線部と、
前記無線部からの制御部リセット信号に基づきリセット状態にされる制御部と、
前記無線部と前記制御部へ電源を供給するとともに、前記無線部からの電源部リセット信号に基づきリセット状態にされる電源部とを備え、
前記無線部は、前記外部リセット信号を受信すると、前記制御部リセット信号を制御部へ出力し、該制御部リセット信号により制御部がリセットされない場合に、電源リセット信号を電源部へ出力することを特徴とする無線通信装置。
このように構成すると、無線通信装置が遠隔地にある場合であっても、無線通信装置の外部から無線により外部リセット信号を送信することにより、無線通信装置をリセット状態にすることができる。また、制御部リセット信号を制御部へ出力しても制御部がリセットされない場合に、電源リセット信号を電源部へ出力して電源部をリセット状態にするようにしているので、確実に、無線通信装置をリセットして正常状態に復旧することができるとともに、制御部リセット信号により制御部がリセットできる場合は、電源部をリセット状態にするよりも早く正常状態に復旧することができる。
【００２１】
第２の発明は、
前記第１の発明に記載の無線通信装置であって、
前記制御部が、前記無線部が異常状態である場合に無線部リセット信号を無線部へ出力することを特徴とする無線通信装置。
このように構成すると、無線部が異常状態になった場合にも、制御部からの無線部リセット信号により無線部を正常状態にすることができる。
【００２２】
第３の発明は、
外部との間で無線信号の送受を行う無線部と、無線通信装置の制御を行う制御部と、前記無線部と前記制御部へ電源を供給する電源部とを備えた無線通信装置であって、
前記無線部は、装置外部から無線により外部リセット信号を受信し、該外部リセット信号に基づき、前記電源部をリセットする電源部リセット信号を作成して前記電源部へ出力することを特徴とする無線通信装置。
このように構成すると、無線通信装置が遠隔地にある場合であっても、無線通信装置の外部から無線により外部リセット信号を受信し、該受信した外部リセット信号に基づき電源部リセット信号を作成し、該電源部リセット信号を電源部へ出力して電源部をリセット状態にするようにしているので、確実に、無線通信装置の無線部と制御部をリセットして正常状態に復旧することができる。
【符号の説明】
【００２３】
１０・・無線部、１１・・無線部ＣＰＵ、１２・・無線部メモリ、１３・・外部リセット信号受信部、１４・・制御部リセット信号作成部、１５・・電源部リセット信号作成部、１６・・電源部リセット信号、１７・・制御部リセット信号、１９・・外部リセット信号、２０・・制御部、２１・・制御部ＣＰＵ、２２・・制御部メモリ、２３・・ウォッチドッグタイマ、２４・・無線部リセット信号作成部、２５・・無線部リセット信号、２６・・クリア信号、２７・・タイムアップ信号、３０・・電源部、３１・・電源供給線、３２・・電源供給線、５０・・無線部、５１・・無線部ＣＰＵ、５２・・無線部メモリ、５３・・外部リセット信号受信部、５４・・制御部リセット信号作成部、５７・・制御部リセット信号、５９・・外部リセット信号、６０・・制御部、６１・・制御部ＣＰＵ、６２・・制御部メモリ、６３・・ウォッチドッグタイマ、６４・・無線部リセット信号作成部、６５・・無線部リセット信号、６６・・クリア信号、６７・・タイムアップ信号、７０・・電源部、１００・・無線通信装置。
【図１】
2011160331.tif 000003
【図２】
2011160331.tif 000004
【図３】
2011160331.tif 000005
【図４】
2011160331.tif 000006